(57)【特許請求の範囲】
【請求項１】
化粧パネルの中央に設けた吸込口に、一側を前記吸込口の一側の化粧パネルに軸支したＬ字状リンクの先端に軸支し、他側に備えた開閉軸と平行な方向に揺動する係止フックを前記吸込口の他側の化粧パネルに設けた係止孔に係止する開閉自在な吸込グリルを設けてなる天井埋込形空気調和機において、
前記係止フックの側面を前記係止孔の前記係止フックから見て開閉側の側壁により開閉軸方向に付勢するとともに、前記係止孔の側壁に下方に拡開するテーパーを設けてなることを特徴とする天井埋込形空気調和機。
【請求項２】
前記係止フック上端の開閉側の角にテーパーを設けてなることを特徴とする請求項１記載の天井埋込形空気調和機。
【請求項３】
前記係止孔を、ナイロンやポリアセタール等の潤滑性の高い合成樹脂にて係止孔部材として形成し、同係止孔部材を前記化粧パネルに装着してなることを特徴とする請求項１記載の天井埋込形空気調和機。
【発明の詳細な説明】
【０００１】
【発明の属する技術分野】
本発明は、天井埋込形空気調和機に係わり、より詳細には、吸込グリル開閉部の構成に関する。
【０００２】
【従来の技術】
従来の天井埋込形空気調和機は、図２、図３、図５および図６にて示すように、化粧パネル１の中央に、一端を同化粧パネル１に軸支したＬ字状リンク９の他端に一側を軸支することにより開閉自在に吸込グリル２を設け、同吸込グリル２の他側に備えた開閉軸と平行な方向に揺動する係止フック１７を前記化粧パネルに形成した係止孔１９に係止してなる構成であった。
【０００３】
【発明が解決しようとする課題】
しかしながら、本構成では、部品寸法のバラツキにより前記係止孔１９が前記係止フック１７に対して開閉軸に直角な開閉軸から離れる方向にズレた場合、前記吸込グリル２が同一方向にズレることにより、図３に示すように、前記Ｌ字状リンク９の作用により本来Ｕの位置にある前記吸込グリル２がＤの位置に下がり前記化粧パネル１との間に隙間が生じることにより、シール性の悪化による露付きや外観不良等の問題が発生していた。
本発明においては、上記の問題点に鑑み、化粧パネルにＬ字状リンクにより開閉自在に軸支された吸込グリルを閉じたとき、吸込グリルが下方に下がり隙間の生じることのない天井埋込形空気調和機を提供することを目的とする。
【０００４】
【課題を解決するための手段】
本発明は、上記課題を解決するため、化粧パネルの中央に設けた吸込口に、一側を前記吸込口の一側の化粧パネルに軸支したＬ字状リンクの先端に軸支し、他側に備えた開閉軸と平行な方向に揺動する係止フックを前記吸込口の他側の化粧パネルに設けた係止孔に係止する開閉自在な吸込グリルを設けてなる天井埋込形空気調和機において、
前記係止フックの側面を前記係止孔の前記係止フックから見て開閉側の側壁により開閉軸方向に付勢するとともに、前記係止孔の側壁に下方に拡開するテーパーを設けた構成となっている。
【０００５】
また、前記係止フック上端の開閉側の角にテーパーを設けた構成となっている。
【０００６】
更に、前記係止孔を、ナイロンやポリアセタール等の潤滑性の高い合成樹脂にて係止孔部材として形成し、同係止孔部材を前記化粧パネルに装着した構成となっている。
【０００７】
【発明の実施の形態】
図１乃至図５にて示す本発明の実施例により、本発明の実施の形態について説明する。
図１の全体構成図に示すように、天井面に下方を向いて設置しＡＢＳ（アクリルニトリルブタジエンスチレン）等の合成樹脂にて形成された化粧パネル１の中央の吸込口１ａに開閉自在に吸込グリル２を、外周部四辺に異なる方向を向いた四つの吹出口７を設け、前記吸込グリル２の上面にフィルタ３を、上方にモータ５にて駆動される送風ファン４を設け、同送風ファン４の外周に熱交換器６を設け、前記送風ファン４にて、前記吸込グリル２より室内空気を前記フィルタ３にて濾過して吸込み、前記熱交換器６にて熱交換した空気を前記吹出口７より吹き出す。
図２の斜視図に示すように、前記吸込グリル２は、前記化粧パネル１の開口凹部の一側に形成したフック８にＬ字状リンク９の一端の上方軸部１０を係止し、同Ｌ字状リンク９の他端の下方軸部１１に前記吸込グリル２の一側を押え金具１２にて軸支して開閉可能とし、前記フィルタ３を脱着して清掃や交換できるようにしている。
一方、図４乃至図５の断面図に示すように、前記吸込グリル２の他側に、揺動軸１３を保持具１４により保持することにより開閉軸と平行な方向に揺動可能なように軸支され、ねじりコイルばね１５により係止方向に付勢され上端の開閉側の角にテーパー１６を形成された係止フック１７が設けられ、同係止フック１７が前記化粧パネル１の開口凹部の他側に形成され前記係止フック１７から見て開閉側の側壁に下方に拡開するテーパー１８を形成した係止孔１９に係止することにより前記吸込グリル２は閉じている。
【０００８】
上記構成において、次にその作用と効果について説明する。
前記吸込グリル２は開く場合、前記Ｌ字状リンク９の上方軸部１０と下方軸部１１との２段階の軸により開くことにより、前記Ｌ字状リンク９にて前記吸込グリル２が下方に下がり、前記吸込グリル２の側面が前記化粧パネル１と干渉し難くなるため、前記化粧パネル１と前記吸込グリル２とを薄くすることができる。また、前記吸込グリル２が閉じるとき、前記係止フック１７が前記係止孔１９側壁のテーパー１８と前記係止フック１７上端角のテーパー１６とによりガイドされることにより、後述のように前記係止フック１７の側面が前記係止孔１９の側壁により開閉軸方向に付勢される状態でも、スムーズに閉じることができる。更に、前記吸込グリル２は閉じたとき、前記係止フック１７の側面が前記係止孔１９の側壁により開閉軸方向に付勢されることにより、前記化粧パネル１が開閉軸方向に付勢されるため、前記化粧パネル１が図３のようにＤの位置に下がることを防止することができる。
なお、本実施例においては、前記係止孔１９は前記化粧パネル１に直接形成しているが、ナイロンやポリアセタール等の潤滑性の高い合成樹脂にて係止孔部材（図示省略）として形成し、前記化粧パネル１に装着すれば、その潤滑性の高さにより、よりスムーズに前記係止フック１７と前記係止孔１９を係止することができる。
【０００９】
【発明の効果】
以上説明したように、本発明によれば、化粧パネルにＬ字状リンクにより開閉自在に軸支された吸込グリルを閉じたとき、吸込グリルが下方に下がり隙間の生じることのない天井埋込形空気調和機となる。
【図面の簡単な説明】
【図１】本発明および従来の天井埋込形空気調和機の全体構成を示す断面図である。
【図２】本発明および従来の天井埋込形空気調和機の下方から見た斜視図で、（Ａ）は全体、（Ｂ）は要部である。
【図３】本発明および従来の天井埋込形空気調和機の要部断面図である。
【図４】本発明による天井埋込形空気調和機の一実施例の要部断面図である。
【図５】本発明および従来の天井埋込形空気調和機の要部断面図である。
【図６】従来の天井埋込形空気調和機の要部断面図である。
【符号の説明】
１  化粧パネル
１ａ  吸込口
２  吸込グリル
９  Ｌ字状リンク
１６  テーパー
１７  係止フック
１８  テーパー
１９  係止孔
【図１】
0004240668.tif 000002
【図２】
0004240668.tif 000003
【図３】
0004240668.tif 000004
【図４】
0004240668.tif 000005
【図５】
0004240668.tif 000006
【図６】
0004240668.tif 000007